(57)【要約】【課題】沈砂池の除砂方法において、集砂開始時から沈砂池の全領域からの集砂・徐砂の終了時まで、揚砂ポンプの運転を停止させないことができるようにする。【解決手段】ダム装置により沈砂池への下水の流入を阻止した後、揚砂ポンプにより集砂ピット内の土砂を排出する沈砂池の除砂方法において、沈砂池に堆積した土砂の堆積量が所定値に達したときに、ダム装置により沈砂池への下水の流入を阻止する。【選択図】図１
2020203288.tif 000002
【特許請求の範囲】
【請求項１】
沈砂池の底面を複数の領域に区分し、前記領域ごとに所定の順序で低圧力水を噴射して、当該領域に堆積していた土砂を集砂ピットに集め、揚砂ポンプにより前記集砂ピット内の土砂を排出する除砂方法において、
前記沈砂池の上流に位置し、開放により下水を前記沈砂池に流入させ、閉鎖により前記沈砂池への下水の流入を阻止するダム装置を設け、
そのダム装置の開放により前記沈砂池に堆積した土砂の堆積量が所定値に達したときに前記ダム装置を閉鎖して前記沈砂池への下水の流入を阻止し、
前記揚砂ポンプの稼働による前記沈砂池内の水位の変動により前記揚砂ポンプの稼働、停止を制御すること、
を特徴とする沈砂池の除砂方法。
【発明の詳細な説明】
【技術分野】
【０００１】
本発明は、沈砂池に貯留した下水に含まれる土砂を沈殿させ、集めて取り除く沈砂池の除砂方法に関する。
【背景技術】
【０００２】
下水処理設備においては、下水管により集められる下水を沈砂池に貯留し、その貯留した下水から土砂を沈殿させて、その沈殿した土砂を沈砂池から取り除くために除砂装置が用いられている。
【０００３】
沈砂池に沈殿した土砂を一か所に集めて取り除く方法として、低圧集砂方式の除砂方法が、特許文献１に記載されている。この低圧集砂方式の除砂方法においては、沈砂池の底部の中央に集砂ピットを形成し、沈砂池の底面をその集砂ピットの周辺が最深となるように傾斜させるとともに、その沈砂池の両側の側壁の間において沈砂池の底部に沈砂池内水流方向と平行に主トラフを集砂ピットと交差するように、かつ、集砂ピット側が深くなるように形成し、沈砂池の両側の側壁から集砂ピットの底面まで下り傾斜するやや幅広のトラフ（以下、副トラフという。）を、さらに、沈砂池の底面に沈砂池内水流方向と直交する方向に平行に延びる多数の小トラフを形成する。また、主トラフ及び副トラフの各上端部と、沈砂池の底面を主トラフの少なくとも片側において沈砂池内水流方向に複数に区分した各領域の上端部と、集砂ピット内とに、それぞれノズルを設置する。そして、沈砂池内の水を排水ポンプで排出した状態（排水状態）で、給水ポンプからそれぞれ切換弁を介して前記各ノズルに所定の順序で３kg/cm2未満の低圧力水を供給して噴射させて、沈砂池の底面に堆積した土砂を主トラフに流し、その流した土砂を集砂ピットに集め、その集めた土砂を集砂ピット内のノズルからの噴射水により撹拌しながら、集砂ピットに設置した揚砂ポンプにより水と共に汲み上げて汚水沈砂池に移送する。
【先行技術文献】
【特許文献】
【０００４】
【特許文献１】特許第３３１５４８９号公報
【発明の概要】
【発明が解決しようとする課題】
【０００５】
上記低圧集砂方式を実施する従来の除砂装置においては、給水ポンプから供給される低圧力水は、沈砂池の底面からの集砂および集砂ピット内からの除砂に必ずしも有効に活用されていなかった。
【０００６】
本発明は、上記の事情に鑑みてなされたものであり、低圧集砂方式の除砂方法において、集砂開始時から沈砂池の全領域からの集砂・徐砂の終了時まで、揚砂ポンプの運転を停止させないことができるようにすることを目的とする。
【課題を解決するための手段】
【０００７】
上記の目的を達成するため、本発明は、沈砂池の底面を複数の領域に区分し、前記領域ごとに所定の順序で低圧力水を噴射して、当該領域に堆積していた土砂を集砂ピットに集め、揚砂ポンプにより前記集砂ピット内の土砂を排出する除砂方法において、前記沈砂池の上流に位置し、開放により下水を前記沈砂池に流入させ、閉鎖により前記沈砂池への下水の流入を阻止するダム装置を設け、そのダム装置の開放により前記沈砂池に堆積した土砂の堆積量が所定値に達したときに前記ダム装置を閉鎖して前記沈砂池への下水の流入を阻止し、前記揚砂ポンプの稼働による前記沈砂池内の水位の変動により前記揚砂ポンプの稼働、停止を制御することを特徴とする。
【発明の効果】
【０００８】
本発明によれば、沈砂池の全領域からの集砂・徐砂の終了時まで、揚砂ポンプの運転を停止させないことができる。
【図面の簡単な説明】
【０００９】
【図１】沈砂池を含む雨水処理設備の縦断面図である。
【図２】図１のＸ−Ｘ線の範囲の要部を示す概略平面図である。
【図３】図１のＸ−Ｘ線の範囲の給水管を省略した詳細な平面図である。
【図４】同じく給水管を含めた詳細な平面図である。
【図５】図３のＹ１−Ｙ１線断面図である。
【図６】図３のＹ２−Ｙ２線断面図である。
【図７】図４のＺ−Ｚ線断面図である。
【図８】給水系統図である。
【図９】徐砂装置の制御装置を説明する制御系統図である。
【図１０】水位センサの機能を説明する図である。
【図１１】揚砂ポンプ制御手段の制御フローチャート図である。
【図１２】切換弁制御手段の制御フローチャート図である。
【図１３】上流側の主トラフの設計案を示す平面図である。
【発明を実施するための形態】
【００１０】
続いて、本発明の実施の形態について図面を参照しながら説明する。
図１において、１は雨水処理設備であり、側壁Ｗａ，Ｗｂ(図２参照)の間に形成された沈砂池２とポンプ井３とを有する。沈砂池２は図外の下水管から雨水や汚水等の下水が集められる流入渠４に接続されている。流入渠４の下流側端部には、流入渠４から沈砂池２への下水の流入の許容又は阻止を行なうためのダム装置５が設置され、そのダム装置５の下流側で、沈砂池２の上流側端部にスクリーン６が設置されている。
【００１１】
スクリーン６は、図２,３に示されているように、左右二つのスクリーン６Ａ,６Ｂであり、各スクリーン６Ａ,６Ｂは、沈砂池２の上流側端部に沈砂池２の両側の側壁Ｗａ、Ｗｂの間に立設された、図示の例では、沈砂池２の幅方向中央に立設された支持壁ＳＷと沈砂池２の両側の側壁Ｗａ又はＷｂとで支持されている。
【００１２】
上述したように、低圧集砂を行うために、沈砂池２の底部中央には集砂ピット７が形成され、沈砂池２の底面２ａは、集砂ピット７の周辺が最深となるように傾斜されているとともに、沈砂池の底部の幅方向中央には、集砂ピット７よりも上流側及び下流側に主トラフ８ａ１，８ａ２が集砂ピット７において交差するように、かつ、集砂ピット側が深くなるように形成され、沈砂池の底面には、側壁Ｗａ，Ｗｂの下端部から主トラフ８ａ１，８ａ２まで平行に延びる多数の小トラフ８ｃ（図２では省略されている。）が形成されている。
【００１３】
主トラフ８ａ１，８ａ２のうち、集砂ピット７よりも下流側の主トラフ８ａ２は、従来と同様に、沈砂池の底部の幅方向中央において沈砂池の下流側端部から集砂ピット７まで直線状に形成されている。これに対して、集砂ピット７よりも上流側の主トラフ８ａ１は、Ｙ字形に形成されて、そのＹ字形の二股部分イは、支持壁ＳＷの下流側部分の両側面至近位置に形成され、Ｙ字形の垂直部分ロは支持壁ＳＷの下流側延長線上に、図示の例では、沈砂池の底部の幅方向中央において集砂ピット７まで連通するように直線状に形成されている。これにより、図１３に示された支持壁ＳＷの両側に上流側の主トラフｔ１ａ，ｔ１ｂを２本平行に形成するときのような島ｉは、形成されない。
【００１４】
図１において、ポンプ井３には、後述される排水ポンプＰ１と、滞留水を排出するポンプを兼ねる給水ポンプＰ２とが設置され、集砂ピット７内に後述される揚砂ポンプＰ３が設置されている。図１のＦは、沈砂池２の下流側端部に設置されているろ過機である。
【００１５】
主トラフ８ａ１，８ａ２及び集砂ピット傾斜面８ｂの上端部には、主トラフ８ａ１，８ａ２及び副トラフ８ｂに所定量の水を吐出するためのトラフノズルが設置されている。下流側の主トラフ８ａ２の上端部には従来と同様に所定の吐出量のノズル９ａが設置されているが、上流側の主トラフ８ａ１には、Ｙ字形の二股部分イの両端部に下流側の主トラフ８ａ２のノズル９ａの約半分の吐出量を有するノズル９ａ’が設置されている。
【００１６】
支持壁ＳＷが両側の側壁Ｗａ，Ｗｂの間に立設されることにより、支持壁両側の下水の流速が増すため、支持壁の両側の領域Ｂ３,Ｂ４への土砂の沈殿量が少なくなる。従って、上流側の主トラフ８ａ1のＹ字形の二股部分イに水を供給するノズルの流量は少なくて済む。従って、Ｙ字形の二股部分イの両端部に設置されるノズル９ａ’の吐出量を下流側の主トラフ８ａ２のノズル９ａの吐出量の半分にすることができる。つまり、上流側の主トラフ８ａ１の二股部分イの両端部に設置される２個のノズル９ａ’に対して、従来と同様に、同一性能の１個の切換弁を使用することができる。
【００１７】
また、沈砂池の底面を主トラフ８ａ１,８ａ２の両側において複数に区分（図示の例では８区分）した領域（Ｂ１〜Ｂ８）のそれぞれに対してノズル９ｂが設置されている。図示の実施例では、各領域に設置されるノズル９ｂは、各領域の上端部の上方であって、側壁Ｗａ、Ｗｂの至近位置にそれぞれ１個のノズルヘッダーＮＨ１〜ＮＨ８が設置され、各ノズルヘッダーに複数個のノズル９ｂが等間隔に設置されている。図７には、複数個のノズル９ｂを所定の間隔で母管１０に取り付けてなるノズルヘッダーＮＨ１，ＮＨ２・・・を用いている例が示されている。さらに、集砂ピット７内には土砂撹拌用のノズル９ｃが設置されている。このノズル９ｃは、複数個（図３,４においては４個）が、揚砂ポンプＰ３の下部の周辺の接線に近い位置において揚砂ポンプＰ３の下部に相対する２方向から吐出するように設置されている。図面の簡明化のため、図２には土砂撹拌用のノズル９ｃが、図７には揚砂ポンプＰ３の図示が省略されている。
【００１８】
そして、図４及び図７に一部が示され、図８に詳細が示されているように、ポンプ井３の給水ポンプＰ２からの低圧力水を前記各ノズル９ａ，９ａ’，９ｂ，９ｃに供給（通水）したり、その供給を止めたり（止水）するための電磁弁により構成されている切換弁群ＶＧ１,ＶＧ２、すなわち、トラフノズル用切換弁Ｖａ１〜Ｖａ３（特定のトラフノズル用切換弁を指さないときは総体的にＶａという。）と、各ノズルヘッダー用切換弁Ｖｂ１〜Ｖｂ８（特定のノズルヘッダー用切換弁を指さないときは総体的にＶｂという。）と、撹拌ノズル用切換弁Ｖｃとが備えられている。トラフノズル用切換弁Ｖaは、いずれも吐出量が等しい、上流側の主トラフ８ａ1のトラフノズル用切換弁Ｖa１と下流側の主トラフ８ａ２のトラフノズル用切換弁Ｖa２とが用いられている。上流側の主トラフ８ａ１のトラフノズル用切換弁Ｖa１の吐出側に接続されている給水管ｗｐ１は、途中で２本に分岐され、それぞれが上流側の主トラフ８ａ１のＹ字形の二股部分イの上端部に設置されている二つのノズル９ａ’に結合されている。
【００１９】
図３および図８に例示するように、沈砂池の底面が８領域に区分されている場合は、ノズルヘッダー用切換弁Ｖｂが８個（Ｖｂ１〜Ｖｂ８）用いられる。給水ポンプＰ２と切換弁群ＶＧ１,ＶＧ２とを結合する管路ｗｐ0には、切換弁Ｖｄを介してリリーフ回路ｗｐ１９が設けられ、切換弁（Ｖａ,Ｖｂ,Ｖｃ）の全てが閉められている場合の給水ポンプＰ２からの加圧水を沈砂池２に逃すように構成されている。
【００２０】
図９に例示するように、低圧集砂方法を実施する除砂装置に備えられる制御装置１００には、除砂始動ボタン（図示せず）を有する操作盤１０１が付加され、排水ポンプ制御手段ＰＣＯＮ１、給水ポンプ制御手段ＰＣＯＮ２及び揚砂ポンプ制御手段ＰＣＯＮ３が内蔵され、さらに、切換弁制御手段ＶＣＯＮが内蔵されている。切換弁制御手段ＶＣＯＮは、後述されるように、前記切換弁群Ｖａ，Ｖｂ，Ｖｃ，Ｖｄに所定の順序で開(通水)動作又は閉(止水)動作を駆動させるための制御信号を与えるものである。
【００２１】
また、制御装置１００には、集砂ピット７内に設置された水位センサ１３(図９、１０参照)が電気的に接続されている。この水位センサ１３は、図１０に示すように、集砂ピット７内の水面が所定の高水位ＨＷＬ以上、中間水位ＭＷＬ及び低水位ＬＷＬのいずれかに存在する場合に、それぞれ高水位以上検知信号、中間水位検知信号、低水位検知信号を出力するほか、集砂ピット７内の水面が所定の高水位ＨＷＬよりも高い位置に設定された異常水位ＨＨＷＬに上昇したときにこれを検知して異常水位検知信号を出力するように構成されている。
【００２２】
そして、後述されるように、揚砂ポンプ制御手段ＰＣＯＮ３は、除砂始動ボタンの操作により揚砂ポンプＰ３の自動運転モードを開始した後は、その自動運転モードを停止するまでの間、切換弁制御手段ＶＣＯＮがトラフノズル用切換弁Ｖａを通水状態に切換えたときに揚砂ポンプＰ３の運転を開始させ、その後は、低水位検知信号を入力したときに揚砂ポンプＰ３の運転を停止し、高水位以上検知信号を入力したときに揚砂ポンプＰ３の運転を開始させることは、従来と同様であるが、本実施の形態においては、異常水位検知信号を入力したときも、揚砂ポンプＰ３の運転を停止するように構成されている。
【００２３】
給水ポンプ制御手段ＰＣＯＮ２は、除砂始動ボタンの操作により切換弁制御手段ＶＣＯＮがリリーフ回路ｗｐ１９の切換弁（リリーフ回路用切換弁）Ｖｄを通水状態に切り替えた後に、給水ポンプＰ２を始動させ、通常は、集砂動作・徐砂動作が終了した後、リリーフ回路用切換弁Ｖｄを止水状態に切り替えた後に給水ポンプＰ２を停止させるが、本実施の形態においては、水位センサ１３から異常水位検知信号を入力したときも、給水ポンプＰ２を停止させるように構成されている。
【００２４】
上記構成による作用を説明する。ダム装置５が開放されたときは、下水は沈砂池２に流入し、さらにポンプ井３まで流入して、その水位が所定の高さになると、除砂装置の制御装置１００の排水ポンプ制御手段ＰＣＯＮ１により、ポンプ井３に設けてある排水ポンプＰ１が運転されて、ポンプ井３内の水が汲み上げられ、図外の終末処理場などに移送される。
【００２５】
その移送の間に、沈砂池２に流入した土砂混じりの下水から土砂が沈殿し、沈砂池の底面２ａに堆積する。その堆積量が所定値に達すると、ダム装置５が閉鎖されて沈砂池２への下水の流入が阻止される。そして、排水ポンプＰ１による排水により沈砂池２とポンプ井３の水面が下がり、所定の水位（図１のＷＬ）になると、排水ポンプ制御手段ＰＣＯＮ１により排水ポンプＰ１の運転が止められる。
【００２６】
ポンプ井３の水面が所定の水位(図１のＷＬ)になったことを検知すると、制御装置１００は給水ポンプ制御手段ＰＣＯＮ２、揚砂ポンプ制御手段ＰＣＯＮ３及び切換弁制御手段ＶＣＯＮを起動する。
【００２７】
揚砂ポンプ制御手段ＰＣＯＮ３は、図１１に示すように、揚砂ポンプＰ３の自動運転モードを開始させ(Ｓ１１)、水位センサ１３からの検知信号により集砂ピット７内の水面が所定の低水位ＬＷＬか否かを調べ（Ｓ１２）、低水位ＬＷＬであるときは、切換弁制御手段ＶＣＯＮからの信号によりトラフノズル用切換弁Ｖａを通水状態に切換えたか否かを調べ（Ｓ１３）、切換えたときは、揚砂ポンプＰ３の運転を開始する（Ｓ１４）。
【００２８】
また、切換弁制御手段ＶＣＯＮは、図１２に示すように、最初、リリーフ回路用切換弁Ｖｄを開けて(通水状態にして)、給水ポンプＰ２の駆動の準備をする（図１２のステップＳ２１）。続いて、トラフノズル用切換弁Ｖａと撹拌ノズル用切換弁Ｖｃを開けた（Ｓ２２）後、リリーフ回路用切換弁Ｖｄを閉める(Ｓ２３)ので、給水ポンプＰ２からの水がノズル９ａ’，９ａから主トラフ８ａ１,８ａ２及び副トラフ８ｂに吐出される。
【００２９】
ノズル９ａ’の吐出量は、ノズル９ａの吐出量の約半分であるが、上流側の主トラフ８ａ１のＹ字形の二股部分イの片方には片方の領域からの土砂しか流れ込まないので、その土砂を排除するには十分な水量である。また、Ｙ字形の二股部分イの約半分の吐水は、Ｙ字形の垂直部分ロに合流するので、その水量は下流側の主トラフ８ａ２の水量とほぼ等しくなる。従って、上流側の主トラフ８ａ１から集砂ピット７に流れ込む土砂及び水の速度と、下流側の主トラフ８ａ２から集砂ピット７に流れ込む土砂及び水の速度とがほぼ拮抗し、流速も著しく大きくならないので、集砂効率が時間的に安定なため、揚砂ポンプＰ３に偏った負荷がかかることが防止される。
【００３０】
好ましい実施の形態においては、切換弁制御手段ＶＣＯＮは、トラフ用切換弁Ｖａを通水状態に切換えると同時に、撹拌ノズル用切換弁Ｖｃをも通水状態に切換える。また、上記のように、これと同時に揚砂ポンプ制御手段ＰＣＯＮ３が揚砂ポンプＰ３の運転を開始するように構成されている。
【００３１】
トラフノズル用切換弁Ｖａの通水により給水ポンプＰ２からの水が主トラフ８ａ１,８ａ２，集砂ピット傾斜面８ｂのノズル９ａ’，９ａより吐水され、それらのトラフ８ａ１,８ａ２，副トラフ８ｂに堆積していた土砂が水とともに流され、集砂ピット７に向けて流される。また、撹拌ノズル用切換弁Ｖｃの通水により集砂ピットの撹拌ノズル９ｃから吐水されるので、集砂ピットに既に存在している少量の土砂と水が撹拌され、流動化される。従って、その後、トラフから集砂ピットに流れ込む土砂は、その撹拌中の土砂に合流して、同様に流動化される。他方、揚砂ポンプＰ３は、撹拌ノズル９ｃからの吐水と略同時に運転を開始するので、集砂ピット内で撹拌される土砂混じりの下水が汲み上げられて、沈砂分離機１１を経て汚水沈砂池１２に移送される。
【００３２】
揚砂ポンプＰ３の吐出量は、給水ポンプＰ２の吐出量よりも多く設定されているので、やがて集砂ピット７内の水面は低下する。その水面が所定の中間水位になったことが水位センサ１３により検知されると（Ｓ２４においてＹのとき）、切換弁制御手段ＶＣＯＮは、水位センサ１３からの中間水位検知信号に基づき第１領域Ｂ１のノズルヘッダー用切換弁Ｖｂ１を開ける(Ｓ２５)ため、そのノズルヘッダーの各ノズルから水が噴射され、第１領域Ｂ１に堆積していた土砂が主トラフ８ａ１，８ａ２に向けて流され、さらに集砂ピット７に流入する。こうして、集砂ピット７に集められ、撹拌される土砂混じりの下水は、水面が一時的に上昇するが、揚砂ポンプＰ３により汲み上げられて汚水沈砂池１２に移送されるので、また、やがて低下する。
【００３３】
その水面が再び所定の中間水位になったことが水位センサ１３により検知されると（Ｓ２６においてＹのとき）、切換弁制御手段ＶＣＯＮは、第１領域Ｂ１のノズルヘッダー用切換弁Ｖｂ１を閉めるとともに、第２領域Ｂ２のノズルヘッダー用切換弁Ｖｂ２を開ける（Ｓ２７）ため、そのノズルヘッダーの各ノズルから水が噴射され、第２領域Ｂ２に堆積していた土砂が、主トラフ８ａに向けて流され、さらに集砂ピット７に流入する。
【００３４】
従って、第1領域Ｂ１の場合と同様に、集砂ピット７内の水面は一時的に上昇するがやがて低下するので、その水面が所定の中間水位になったとき(Ｓ２８においてＹのとき）に、切換弁制御手段ＶＣＯＮは、第２領域Ｂ２のノズルヘッダー用切換弁Ｖｂ２を閉めるとともに、その次の第３領域Ｂ３のノズルヘッダー用切換弁Ｖｂ３を開ける（Ｓ２９）ため、そのノズルヘッダーの各ノズルから水が噴射される。
【００３５】
従って、先の場合と同様に、集砂ピット７内の水面は一時的に上昇するがやがて低下するので、その水面が所定の中間水位になったときに(Ｓ２１０においてＹのとき）、切換弁制御手段ＶＣＯＮは、第３領域Ｂ３のノズルヘッダー用切換弁Ｖｂ３を閉めるとともに、第４領域Ｂ４のノズルヘッダー用切換弁Ｖｂ４を開ける（Ｓ２１１）ため、そのノズルヘッダーの各ノズルから水が噴射される。
【００３６】
従って、先の場合と同様に、集砂ピット７内の水面は一時的に上昇するがやがて低下するので、その水面が所定の中間水位になったとき（Ｓ２１２においてＹのとき）に、切換弁制御手段ＶＣＯＮは、第４領域Ｂ４、すなわち、最後の領域に対する吐水を終了したものと判断して、リリーフ回路用切換弁Ｖｄを開けるとともに、第４領域Ｂ４のノズルヘッダー用切換弁Ｖｂ４を閉める制御を行なって（Ｓ２１３）、一連の切換弁制御を完了する。また、給水ポンプ制御手段ＰＣＯＮ２も給水ポンプＰ２の運転を停止する。
【００３７】
他方、揚砂ポンプ制御手段ＰＣＯＮ３は、揚砂ポンプＰ３の運転開始時から水位センサ１３の検知状態を常に監視しており（Ｓ１５）、集砂ピット７内の水面が低水位ＬＷＬまで低下しない場合は、低水位ＬＷＬまで低下するまで揚砂ポンプＰ３の運転を継続する（Ｓ１６）。しかし、第４領域Ｂ４のノズルヘッダー用切換弁Ｖｂ４を閉めたことにより、集砂ピット７内の水面が低水位ＬＷＬまで低下するので（Ｓ１５においてＹのとき）、揚砂ポンプＰ３の運転を停止する（Ｓ１７）。その後、揚砂ポンプ制御手段ＰＣＯＮ３は、切換弁の制御を完了したか否かを調べ（Ｓ１８）、完了していない場合はステップＳ１６に戻るが、切換弁制御の完了を認識した（Ｓ１８においてＹのとき）後は、揚砂ポンプＰ３の自動運転モードを解除する（Ｓ１９）。
【００３８】
上述のように、揚砂ポンプＰ３は、自動運転モードを開始すると、集砂ピット７内を排水状態に維持するために、集砂ピット内の水面が所定の高水位ＨＷＬ以上にあるときは自動的に運転を開始し、その水面が所定の低水位ＬＷＬまで低下したときは自動的に運転を停止する。本実施の形態においては、集砂ピット内の水面が所定の高水位ＨＷＬと所定の低水位ＬＷＬの間の中間水位ＭＷＬまで低下した時に、先順の領域のノズルヘッダー用切換弁を閉めるとともに、後順の領域のノズルヘッダー用切換弁を開けるので、それらの切換弁の切換動作の間に、集砂ピット内の水面は、先順の領域のノズルヘッダー用切換弁の閉動作による水噴射の停止、揚砂ポンプの汲み上げ及び後順の領域のノズルヘッダー用切換弁の開動作による水噴射の開始により変動するが、切換弁の切換動作の時間的基準となる中間水位ＭＷＬを、切換弁の切換動作の間に集砂ピット内の水面が所定の低水位ＬＷＬまで低下しない高さ位置に設定すれば、集砂開始時から沈砂池の全領域からの集砂・徐砂の終了時まで、揚砂ポンプＰ３の運転を停止させないことができる。
切換弁の切換動作の時間的基準となる中間水位ＭＷＬは、給水ポンプＰ２の吐出量、沈砂池の断面積、揚砂ポンプＰ３の吐出量などから算出可能である。
【符号の説明】
【００３９】
１    雨水処理設備
２    沈砂池
２ａ  沈砂池の底面
ＳＷ  支持壁 
６    スクリーン(夾雑物捕捉用スクリーン)
７    集砂ピット
８ａ１  上流側の主トラフ
イ      上流側の主トラフの二股部分
ロ      上流側の主トラフの垂直部分
８ａ２  下流側の主トラフ
８ｂ  副トラフ
８ｃ  小トラフ
９ａ，９ａ’，９ｂ，９ｃ  ノズル
ＮＨ１〜ＮＨ４  ノズルヘッダー
Ｐ１  排水ポンプ
Ｐ２  給水ポンプ
Ｐ３  揚砂ポンプ
ｗｐ１９  リリーフ回路
Ｖａ１〜Ｖａ３  トラフノズル用切換弁
Ｖｂ１〜Ｖｂ８  ノズルヘッダー用切換弁
Ｖｃ  撹拌ノズル用切換弁
Ｖｄ  リリーフ回路用切換弁
【図１】
2020203288.tif 000003
【図２】
2020203288.tif 000004
【図３】
2020203288.tif 000005
【図４】
2020203288.tif 000006
【図５】
2020203288.tif 000007
【図６】
2020203288.tif 000008
【図７】
2020203288.tif 000009
【図８】
2020203288.tif 000010
【図９】
2020203288.tif 000011
【図１０】
2020203288.tif 000012
【図１１】
2020203288.tif 000013
【図１２】
2020203288.tif 000014
【図１３】
2020203288.tif 000015